(57)【要約】【課題】電磁弁に接続されたガス配管からのガス流入方向が弁体に対する付勢方向とは反対側の方向であっても、より確実に閉弁状態を維持し得るガスコンロを提供する。【解決手段】ガスコンロ１において、バルブユニット５０は、弁体６０と、付勢部材６２と、駆動部６４と、収容体１００とを有する。収容体１００は、弁体６０を収納するとともに変位方向の一方側の端部にガスの流出口が形成された収納部１２０と、収納部１２０からガスを導く経路となるガス導出経路１３０と、収納部１２０側に形成された流入口を介して収納部１２０にガスを導く経路となるガス導入経路１１０とを備える。ガス導入経路１１０は、収納部１２０に対して弁体６０の変位方向（左右方向）と直交する方向にずれて配置されるとともに、一部の経路が収納部１２０の外周側から当該収納部１２０内と連通している。【選択図】図４
2018128151.tif 000002
【特許請求の範囲】
【請求項１】
ガスバーナと、
前記ガスバーナへガスを供給する経路となるバルブユニットと、
前記ガスバーナ及び前記バルブユニットを収容する筐体と、
を含み、
前記バルブユニットは、
所定の変位方向に沿って変位する弁体と、
前記弁体を所定の閉塞位置に向けて前記変位方向の一方側に付勢する付勢部材と、
前記閉塞位置にある前記弁体に対し、前記閉塞位置よりも前記変位方向の他方側の開放位置に退避させる開放動作を行う駆動部と、
少なくとも前記弁体を収容する収容体と、
を有し、
前記収容体は、
前記弁体を前記変位方向に沿った変位が自在となるように収納するとともに、前記変位方向の一方側の端部にガスの流出口が形成された収納部と、
前記収納部に対して前記変位方向の一方側に配置され、前記収納部から前記流出口を介して流出するガスを導く経路となるガス導出経路と、
前記弁体が前記閉塞位置にあるときに前記流出口を閉塞する構成で前記弁体と接触し、前記弁体が前記開放位置にあるときに前記流出口を開放する構成で前記弁体とは離間する弁座と、
前記収納部に対して前記変位方向の一方側に配置され、前記収納部側に形成された流入口を介して前記収納部にガスを導く経路となるガス導入経路と、
を備え、
前記ガス導入経路は、前記収納部に対して前記変位方向と直交する方向にずれて配置されるとともに、一部の経路が前記収納部の外周側から当該収納部内と連通しているガスコンロ。
【請求項２】
前記ガス導入経路は、少なくとも前記弁体が前記閉塞位置にあるときに、前記収納部内の空間のうちの前記弁体における前記流出口側とは反対側の外面部が面する裏側空間に連通し、当該裏側空間にガスを導く構成であり、
前記弁体は、前記閉塞位置にあるときに前記付勢部材によって前記変位方向一方側に付勢され且つ前記裏側空間のガスにより前記変位方向の一方側に押圧され、前記弁座に接触しつつ前記流出口を閉塞する状態で維持される請求項１に記載のガスコンロ。
【請求項３】
前記ガス導入経路は、前記収容体において前記変位方向の一方側の端部に形成された第１開口部から前記変位方向の他方側に向けて前記変位方向に沿って延びる第１孔部を備え、
前記収納部は、前記収容体において前記変位方向の他方側の端部に形成された第２開口部から前記変位方向の一方側に向けて前記変位方向に沿って延びるとともに一部が前記第１孔部と連通する第２孔部を備え、
前記ガス導出経路は、前記収容体において前記第２孔部における前記変位方向の一方側の端部に形成された第３開口部である前記流出口から前記変位方向の一方側に向けて前記変位方向に沿って延び且つ前記第２孔部よりも孔の開口サイズが小さい第３孔部と、前記収容体において前記変位方向と交差する所定方向に沿って延びるように形成されるとともに前記所定方向の一方側が前記第３孔部と連通し前記所定方向の他方側に前記収容体の外面部に形成された第４開口部が設けられてなる第４孔部と、を備える請求項１又は請求項２に記載のガスコンロ。
【請求項４】
少なくとも一部が前記筐体内に配置されるとともに、前記筐体における所定の前後方向の前端側且つ前記前後方向と直交する所定の左右方向の一端側に配置されるガス量調整装置と、
前記ガス量調整装置を通過したガスを前記バルブユニットに導くガス管と、
を含み、
前記ガスバーナは、スロート部が前記前後方向に沿って設けられ、
前記バルブユニットは、前記スロート部と前記筐体の前壁部との間の位置であって且つ前記左右方向において前記ガス量調整装置よりも前記筐体の中央寄りに配置され、
前記ガス管は、前記ガス量調整装置から後方側に延びるとともに前記ガス量調整装置を通過したガスを後方側に誘導する第１誘導部と、前記第１誘導部で誘導されたガスの誘導方向を前方側に転換する第２誘導部と、前記第２誘導部で誘導されたガスを前記第２誘導部よりも更に前方側に誘導する第３誘導部と、前記第３誘導部で誘導されたガスの誘導方向を転換するとともに前記左右方向に沿って誘導する第４誘導部と、を有し、
前記弁体は、前記変位方向が前記左右方向であり、
前記第１孔部、前記第２孔部、及び前記第３孔部がいずれも前記左右方向に沿って延びている請求項３に記載のガスコンロ。
【発明の詳細な説明】
【技術分野】
【０００１】
本発明は、ガスコンロに関するものである。
【背景技術】
【０００２】
ガスコンロでは、ガスバーナへ通じるガス流路に電磁弁を設けた構成が知られている。例えば、特許文献１で開示されるガスコンロではラッチ式の電磁弁が用いられ、この電磁弁は、弁体を閉弁方向に付勢する付勢部材と、通電時に付勢部材の付勢に抗して弁体を開弁方向に移動させるソレノイド式の駆動部とを有している。この電磁弁では、弁体が閉弁位置にあるときに付勢部材の付勢によって閉弁状態が維持され、閉弁状態のときにソレノイド式の駆動部が通電されることにより弁体が開弁方向に移動する構成となっている。
【先行技術文献】
【特許文献】
【０００３】
【特許文献１】特開２０１６−１７３１９９号公報
【発明の概要】
【発明が解決しようとする課題】
【０００４】
ところで、ガスコンロでは、部品配置の制約上、ガス配管と電磁弁との接続部を、電磁弁内の弁体と対向させた関係で配置せざるを得ない場合がある。この場合、ガス配管に接続された電磁弁内の流路（ガス導入経路）において、ガスの流入方向が弁体の閉弁方向（付勢部材による付勢方向）とは反対側の向きとなるため、ガス導入経路から流入するガスのガス圧が弁体を開弁させる方向に作用し、電磁弁の閉弁能力が阻害される虞がある。
【０００５】
本発明は、上述した課題を解決するためになされたものであり、電磁弁に接続されたガス配管からのガス流入方向が弁体に対する付勢方向とは反対側の方向であっても、より確実に閉弁状態を維持し得るガスコンロを提供することを目的とするものである。
【課題を解決するための手段】
【０００６】
本発明の一例であるガスコンロは、
ガスバーナと、
前記ガスバーナへガスを供給する経路となるバルブユニットと、
前記ガスバーナ及び前記バルブユニットを収容する筐体と、
を含み、
前記バルブユニットは、
所定の変位方向に沿って変位する弁体と、
前記弁体を所定の閉塞位置に向けて前記変位方向の一方側に付勢する付勢部材と、
前記閉塞位置にある前記弁体に対し、前記閉塞位置よりも前記変位方向の他方側の開放位置に退避させる開放動作を行う駆動部と、
少なくとも前記弁体を収容する収容体と、
を有し、
前記収容体は、
前記弁体を前記変位方向に沿った変位が自在となるように収納するとともに、前記変位方向の一方側の端部にガスの流出口が形成された収納部と、
前記収納部に対して前記変位方向の一方側に配置され、前記収納部から前記流出口を介して流出するガスを導く経路となるガス導出経路と、
前記弁体が前記閉塞位置にあるときに前記流出口を閉塞する構成で前記弁体と接触し、前記弁体が前記開放位置にあるときに前記流出口を開放する構成で前記弁体とは離間する弁座と、
前記収納部に対して前記変位方向の一方側に配置され、前記収納部側に形成された流入口を介して前記収納部にガスを導く経路となるガス導入経路と、
を備え、
前記ガス導入経路は、前記収納部に対して前記変位方向と直交する方向にずれて配置されるとともに、一部の経路が前記収納部の外周側から当該収納部内と連通している。
【発明の効果】
【０００７】
上記ガスコンロは、ガス導入経路が収納部に対してずれて配置されるとともに一部の経路が収納部の外周部と連通しているため、ガス導入経路から流入するガス圧が弁体を開弁させる方向に作用しにくくなる。ゆえに、バルブユニットに接続されたガス管からのガス流入方向が弁体に対する付勢方向とは反対方向又はそれに近い方向であっても、より確実に閉弁状態を維持し得る。
【図面の簡単な説明】
【０００８】
【図１】実施例１のガスコンロを概略的に示す斜視図である。
【図２】実施例１のガスコンロを概略的に示す平面図である。
【図３】図２のガスコンロの一部を拡大して示す拡大図である。
【図４】図３のＡ−Ａ断面を概略的に示す断面概略図である。
【図５】図３のＢ−Ｂ断面を概略的に示す断面概略図である。
【図６】実施例１のガスコンロの一部をなすバルブユニットの収容体を概略的に示す平面図である。
【図７】図６の収容体の左側面図である。
【図８】図６の収容体の右側面図である。
【図９】図６の収容体の背面図である。
【発明を実施するための形態】
【０００９】
ここで、本発明の望ましい例を挙げる
ガス導入経路は、少なくとも弁体が閉塞位置にあるときに、収納部内の空間のうちの弁体における流出口側とは反対側の外面部が面する裏側空間に連通し、当該裏側空間にガスを導く構成であってもよい。弁体は、閉塞位置にあるときに付勢部材によって変位方向一方側に付勢され且つ裏側空間のガスにより変位方向の一方側に押圧され、弁座に接触しつつ流出口を閉塞する状態で維持されてもよい。
【００１０】
上記構成をなすガスコンロは、弁体が閉塞位置にあるとき、この弁体を閉じる方向の力として、付勢部材による付勢に加え、裏側空間に供給されたガスによる押圧が加わる。従って、弁体が閉塞位置にあるときにより強い力で弁体を閉じることができ、収納部からガス導出経路へのガスの漏洩をより一層確実に防ぐことができる。
【００１１】
ガス導入経路は、収容体において変位方向の一方側の端部に形成された第１開口部から変位方向の他方側に向けて変位方向に沿って延びる第１孔部を備えうる。収納部は、収容体において変位方向の他方側の端部に形成された第２開口部から変位方向の一方側に向けて変位方向に沿って延びるとともに一部が第１孔部と連通する第２孔部を備えうる。ガス導出経路は、収容体において第２孔部における変位方向の一方側の端部に形成された第３開口部である流出口から変位方向の一方側に向けて変位方向に沿って延び且つ第２孔部よりも孔の開口サイズが小さい第３孔部と、収容体において変位方向と交差する所定方向に沿って延びるように形成されるとともに所定方向の一方側が第３孔部と連通し所定方向の他方側に収容体の外面部に形成された第４開口部が設けられてなる第４孔部と、を備えうる。
【００１２】
このガスコンロは、主要経路をより簡易に且つより低廉に構成することができる。例えば、第１孔部、第２孔部、第３孔部、第４孔部を三方からの型の引き抜きによって構成することも可能であり、この場合、型費の高騰を抑えて低廉に構成することができる。
【００１３】
ガスコンロは、少なくとも一部が筐体内に配置されるとともに、筐体における所定の前後方向の前端側且つ前後方向と直交する所定の左右方向の一端側に配置されるガス量調整装置と、ガス量調整装置を通過したガスをバルブユニットに導くガス管と、を含みうる。ガスバーナは、スロート部が前後方向に沿って設けられた構成をとりうる。バルブユニットは、スロート部と筐体の前壁部との間の位置であって且つ左右方向においてガス量調整装置よりも筐体の中央寄りに配置される構成をとりうる。ガス管は、ガス量調整装置から後方側に延びるとともにガス量調整装置を通過したガスを後方側に誘導する第１誘導部と、第１誘導部で誘導されたガスの誘導方向を前方側に転換する第２誘導部と、第２誘導部で誘導されたガスを第２誘導部よりも更に前方側に誘導する第３誘導部と、第３誘導部で誘導されたガスの誘導方向を転換するとともに左右方向に沿って誘導する第４誘導部と、を有した構成をとりうる。そして、弁体は、変位方向が左右方向であってもよく、第１孔部、第２孔部、及び第３孔部は、いずれも左右方向に沿って延びた構成であってもよい。
【００１４】
このガスコンロは、筐体における左右方向一端側且つ前端側にガス量調整装置を配置し、且つガス量調整装置からガスを後方側に導出するように構成することが望まれる場合、且つ、ガスバーナのスロート部と筐体の前壁部との間の位置にバルブユニットを配置することが望まれる場合に、より簡易な構成でガス量調整装置からバルブユニットへとガスを導くことができる。更に、ガス管を介して左右方向に導かれたガスを受け入れ、このガスを後方側に案内するようにバルブユニットを構成することが望まれる場合に、このような要求を満たし得るバルブユニットを、安定的な切り替えが可能な構成で実現することができる。
【００１５】
＜実施例１＞
以下、本発明の一例を具現化したガスコンロ１について、図面に基づいて説明する。これらの図面は、本発明が採用しうる技術的特徴を説明するために用いられるものである。以下に記載されている装置の構造などは、特に特定的な記載がない限り、それのみに限定する趣旨ではなく、例示である。
【００１６】
まず、図１、図２等を参照し、ガスコンロ１の概要を説明する。
図１、図２で示すガスコンロ１は、例えば、キャビネットなどの家具に落とし込んで設置されるものであり、具体的には、キャビネットの上面部に形成された上面開口部を介してキャビネット内に落とし込んで設置されるものである。ガスコンロ１は、キャビネット内に設置されたときに少なくとも上面側の部分（天板３やガスバーナ５など）が上方側に露出するように配置される。
【００１７】
本構成では、所定方向を上下方向とし、図１の例では、バーナ本体６からバーナヘッド７が突出する方向が上下方向であり、センサ部８の突出する方向も上下方向となっている。また、上下方向と直交する方向のうち一つの方向が前後方向であり、上下方向及び前後方向と直交する方向が左右方向である。具体的には、図２のように平面視したときに矩形状に構成される外縁部のうち、一つの外縁部に沿った方向が前後方向であり、図２では、前後方向をＸ軸方向として示す。また、他の外縁部に沿った方向が左右方向であり、図２では、左右方向をＹ軸方向として示す。
【００１８】
ガスコンロ１は、コンロ外面部を構成する筐体２を備え、この筐体２の内部空間に各種部品が収容された構成をなす。筐体２は、不燃材料を主体として構成されるものであり、例えば、金属材料のダイカストとして形成されている。筐体２は、後述するガスバーナ５やガスバーナ５へガスを供給する経路となるバルブユニット５０など、様々な部品の一部又は全部を内部に収容するように機能する。
【００１９】
筐体２は、底壁部２Ｅから複数の周壁部２Ａ，２Ｂ，２Ｃ，２Ｄが立ち上がる形態で形成されており、４つの周壁部２Ａ，２Ｂ，２Ｃ，２Ｄ及び底壁部２Ｅによって内部空間が囲まれた箱状の形態をなす。筐体２は、箱状のケース体となっていればよく、４つの周壁部２Ａ，２Ｂ，２Ｃ，２Ｄ及び底壁部２Ｅは、一体成形によって一体的に形成されていてもよく、複数の部材を互いに固定した形態で一体的に形成されていてもよい。
【００２０】
筐体２の上部には、４つの周壁部２Ａ，２Ｂ，２Ｃ，２Ｄの上端部によって第１の開口部２Ｆが形成されている。４つの周壁部２Ａ，２Ｂ，２Ｃ，２Ｄによって環状に構成される外壁部４は、底壁部２Ｅから垂直状に立ち上がる垂直状壁部４Ａと、この垂直状壁部の上端部から外側に張り出すフランジ状の張出部４Ｂとを有する。垂直状壁部４Ａの上端部が開口部２Ｆとなっている。後述する天板３は、このように構成された張出部４Ｂ及び開口部２Ｆを覆うように筐体２に対して上側から固定される。
【００２１】
図１、図２には、天板３を二点鎖線にて仮想的に示している。天板３は、平面視矩形状且つ板状に構成されており、筐体２の上部側に組みつけられた状態でガスコンロ１の上面部として機能する。天板３は、筐体２の上部（具体的には、垂直状壁部４Ａの上端部）に形成された開口部２Ｆを閉塞する形で筐体２に対して上方側から組み付けられる。具体的には、天板３は、筐体２の張出部４Ｂに支持され、張出部４Ｂに対してねじ等の連結具を介して直接又は他部材を介して間接的に固定される。
【００２２】
天板３は、不燃材料を主体として構成され、例えば、ステンレス等の金属材料によって構成されていてもよく、ガラス材料又はガラス成分を含む材料によって構成されていてもよい。天板３は、幅方向中央付近且つ後方寄りの位置に貫通形状の導出口３Ａが開口形状で形成されている。導出口３Ａは、板状に形成された天板３を厚さ方向に貫通する貫通孔部として形成されている。
【００２３】
なお、天板３の材料は、不燃材料であれば金属材料であってもよく、非金属材料であってもよい。また、天板３の材料は、不燃材料が主体となっていればよく、大部分の割合が不燃材料であれば微少の可燃材料が含まれている材料などであってもよい。
【００２４】
図１、図２のように、天板３に形成された導出口３Ａの内側には、一部が導出口３Ａに挿し通された形態でガスバーナ５が設けられている。ガスバーナ５は、大部分が筐体２内に収容され、一部が導出口３Ａを介して筐体２の外部に露出した状態で配置される。ガスバーナ５は、燃料ガスと一次空気とが供給されるスロート部６Ｂと、そのスロート部６Ｂの下流端に連設されるリング状の混合部６Ａとからなるバーナ本体６を有し、混合部６Ａにバーナヘッド７を載置して混合部６Ａとバーナヘッド７との間に形成した炎口から燃料ガスと一次空気との混合気を噴出させるコンロバーナとして構成されている。図２のように、スロート部６Ｂは、前後方向に沿って延びており、スロート部６Ｂの後端部に混合部６Ａが連結され、スロート部６Ｂの前端部にバルブユニット５０が連結されている。
【００２５】
天板３には、導出口３Ａの上側に配置される形で五徳（図示略）が設けられる。五徳は、上面部に調理鍋（図示略）等の調理容器を載置し得る構成となっている。ガスバーナ５は、燃焼ガスを燃焼させて五徳に載置された調理容器を加熱するように機能する。
【００２６】
図１、図２のように、ガスバーナ５の中心にはセンサ部８が設けられている。センサ部８は上下方向に出退可能であり且つバネ（図示略）により上方側に付勢されている。
【００２７】
図１、図２のようにガスコンロ１の上面側には、天板３を貫通した形でガス量調整装置１０（点火・火力調整装置）が設けられている。ガス量調整装置１０は、一部が筐体２内に配置されるとともに、筐体２の前端側且つ左右方向の一端側に配置されている。なお、図１、図２の例では、天板３においてガス量調整装置１０を挿し通すために設けられる孔部（操作部１２の軸部を挿し通すための孔部）は図示を省略している。
【００２８】
ガス量調整装置１０は、操作部１２が天板３の上方側に突出した形で配置され、外部からの操作部１２に対する操作によって動作する構成となっている。ガス量調整装置１０は、ガスバーナ５の点火及び火力調整を行う装置として機能し、点火や火力調整のための構成は公知の構成を採用し得る。ガス量調整装置１０は、後述するガス管９０へのガス供給量を調整するように機能し、操作部１２に対する操作に応じてガス管９０を流れるガスの流量が変化するようになっている。
【００２９】
ガス管９０は、ガス量調整装置１０に連結され、ガス量調整装置１０を通過したガスをバルブユニット５０に導くように機能する。ガス管９０は、ガス量調整装置１０から後方側に延びるとともにガス量調整装置１０を通過したガスを後方側に誘導する第１誘導部９１と、第１誘導部９１で誘導されたガスの誘導方向を前方側に転換する第２誘導部９２と、第２誘導部９２で誘導されたガスを第２誘導部９２よりも更に前方側に誘導する第３誘導部９３と、第３誘導部９３で誘導されたガスの誘導方向を転換するとともに左右方向に沿って誘導する第４誘導部９４とを有する。
【００３０】
バルブユニット５０は、ガスバーナ５へのガスの供給を許容又は遮断するように切り替える電磁弁として構成されている。バルブユニット５０は、前後方向においてスロート部６Ｂと筐体２の周壁部２Ａ（前壁部）との間の位置に配置され、且つ左右方向においてガス量調整装置１０よりも筐体２の中央寄りに配置されている。なお、周壁部２Ａは、前壁部２Ａとも称する。具体的には、バルブユニット５０は、筐体２の左右方向中央付近において前壁部２Ａに隣接して配置されている。
【００３１】
バルブユニット５０は、図３のような外観をなし、図４、図５のような内部構成となっている。図４のように、バルブユニット５０は、所定の変位方向（具体的には左右方向）に沿って変位する弁体６０と、弁体６０を閉塞位置（図４で示す破線部６０’の位置）に向けて付勢する付勢部材６２と、閉塞位置にある弁体６０に対し開放位置に退避させる開放動作を行う駆動部６４と、少なくとも弁体６０を収容する収容体１００とを有する。
【００３２】
収容体１００は、図６〜図９のような外観をなす。この収容体１００には、ガス導入経路１１０、収納部１２０、ガス導出経路１３０、弁座１２８、流入口１１８、流出口１３２などが形成されている。収容体１００は、ガス導入経路１１０、収納部１２０、ガス導出経路１３０、弁座１２８、流入口１１８、流出口１３２などが形成される本体部１０２と、この本体部１０２に取り付けられる複数の取付部材１０４、１０６Ａ、１０６Ｂ、１０６Ｃとを備えてなる。
【００３３】
図４のように、ガス導入経路１１０は、収納部１２０に対して弁体６０の変位方向（左右方向）の一方側に配置され、収納部１２０側に形成された流入口１１８を介して収納部１２０にガスを導く経路となる。ガス導入経路１１０は、少なくとも弁体６０が閉塞位置にあるときに、収納部１２０内の空間のうちの弁体６０における流出口１３２側とは反対側の外面部６０Ａが面する裏側空間１５０に連通し、当該裏側空間１５０にガスを導く構成となっている。ガス導入経路１１０は、第１孔部１１４を備える。第１孔部１１４は、収容体１００において変位方向（左右方向）の一方側（具体的には、図２のように平面視したときの右側）の端部に形成された第１開口部１１２から変位方向の他方側（具体的には、図２のように平面視したときの左側）に向けて変位方向（左右方向）に沿って延びる構成をなす。ガス導入経路１１０は、収納部１２０に対して変位方向（左右方向）と直交する方向にずれて配置されるとともに、一部の経路が収納部１２０の外周側から当該収納部１２０内と連通している。
【００３４】
上述したガス管９０は、第４誘導部９４の一部が第１開口部１１２に挿入された形で連結されている。収容体１００の一部をなす取付部材１０４は、ボルト等の連結部材によって本体部１０２に固定され、第１開口部１１２に挿入されたガス管９０をこの固定状態で保持するように機能している。
【００３５】
収納部１２０は、弁体６０を変位方向（左右方向）に沿った変位が自在となるように収納するとともに、変位方向（左右方向）の一方側の端部（具体的には、図４における収納部１２０の右側の端部）にガスの流出口１３２が形成されている。収納部１２０は、第２孔部１２４を備える。第２孔部１２４は、収容体１００において変位方向の他方側の端部（具体的には、図４における収納部１２０の左側の端部）に形成された第２開口部１２２から変位方向の一方側（図４の右側）に向けて変位方向に沿って延びるとともに一部が第１孔部１１４と連通している。
【００３６】
ガス導出経路１３０は、収納部１２０に対して変位方向の一方側に配置され、収納部１２０から流出口１３２を介して流出するガスを導く経路となる。ガス導出経路１３０は、第３孔部１３４と第４孔部１４４とを備える。第３孔部１３４は、収容体１００において第２孔部１２４における変位方向の一方側の端部（図４における右側の端部）に形成された流出口１３２（第３開口部）から変位方向の一方側（図４における右側）に向けて変位方向に沿って延び且つ第２孔部１２４よりも孔の開口サイズが小さくなっている。図５のように、第４孔部１４４は、収容体１００において変位方向と交差する所定方向（具体的には、前後方向に対して少し傾いた方向）に沿って延びるように形成されるとともに所定方向の一方側（前方側）が第３孔部１３４と連通し所定方向の他方側（他方側）に収容体１００の外面部に形成された第４開口部１４２が設けられている。第４開口部１４２には、バルブユニット５０とガスバーナ５との間に配置されるノズル９が取り付けられている。ノズル９は、先端部の開口が第４孔部１４４の径よりも小さくなっており、第４孔部１４４を通過したガスを絞りつつガスバーナ５のスロート部６Ｂに導くように機能する。
【００３７】
弁座１２８は、図４、図７のような構成をなし、図４の破線部６０’のように弁体６０が閉塞位置にあるときに流出口１３２を閉塞する構成で弁体６０と接触し、図４の実線のように弁体６０が開放位置にあるときに流出口１３２を開放する構成で弁体６０とは離間するように機能する。
【００３８】
弁体６０は、変位方向が左右方向となっており、図４の破線部６０’のように閉塞位置にあるときに弁座１２８と接触しつつ流出口１３２を閉塞するように機能する。この弁体６０は、閉塞位置にあるときに付勢部材６２によって変位方向一方側（図４における右側）に付勢されるようになっており且つ裏側空間１５０のガスにより変位方向一方側（図４における右側）に押圧されるようになっている。従って、弁体６０が閉塞位置にあるときには、弁座１２８に接触しつつ流出口１３２を閉塞する状態がより安定的に維持される。
【００３９】
付勢部材６２は、例えばコイルばねなどのばね部材によって構成されており、弁体６０を閉塞位置に向けて変位方向の一方側（左右方向一方側である矢印Ｆ１（図４）の方向）に付勢するように機能する。付勢部材６２は、弁体６０が閉塞位置にあるときでも弁体６０を矢印Ｆ１の方向に押し続ける。
【００４０】
駆動部６４は、収容体１００の一部をなす取付部材１０６Ａ、１０６Ｂ、１０６Ｃによって本体部１０２に取り付けられている。駆動部６４は、図４の破線部６０’のように閉塞位置にある弁体６０に対し、閉塞位置よりも変位方向の他方側（左右方向他方側である矢印Ｆ２（図４）の方向）の開放位置（図４の実線で示す位置）に退避させるように開放動作を行いうる。駆動部６４は、プランジャ部６５と、コイル部を備えたソレノイド部６６とを有し、ソレノイド部６６の通電時には、コイル部で生じる電磁力によって図４のようにプランジャ部６５をソレノイド部６６側に引き寄せるように移動させる。プランジャ部６５の先端部には、上述した弁体６０が連結されており、駆動部６４の駆動時には付勢部材６２による付勢及び裏側空間１５０内のガス圧に抗してプランジャ部６５がソレノイド部６６内に引き込まれることで弁体６０が開放位置に退避するようになっている。
【００４１】
なお、ガス放出部１６０は、弁体６０の閉弁時にバルブユニット５０内に滞留したガスを抜くように作用する部分である。
【００４２】
次に、本構成の主な効果を例示する。
本構成のガスコンロ１は、ガス導入経路１１０が収納部１２０に対してずれて配置されるとともにガス導入経路１１０の一部の経路が収納部１２０の外周部と連通しているため、ガス導入経路１１０から流入するガス圧が弁体６０を開弁させる方向に作用しにくくなる。ゆえに、バルブユニット５０（電磁弁）に接続されたガス管９０からのガス流入方向が弁体６０に対する付勢方向とは反対方向又はそれに近い方向であっても、より確実に閉弁状態を維持し得る。
【００４３】
ガス導入経路１１０は、図４における破線部６０’のように弁体６０が閉塞位置にあるときに裏側空間１５０（収納部１２０内の空間のうち、弁体６０における流出口１３２側とは反対側の外面部６０Ａが面する空間）に連通し、当該裏側空間１５０にガスを導く構成となっている。弁体６０は、閉塞位置にあるときに付勢部材６２によって変位方向一方側に付勢され、更に裏側空間１５０のガスによっても変位方向一方側に押圧されるため、弁座１２８に対してより強く接触しつつ流出口１３２をより強固に閉塞する状態で維持される。ゆえに、収納部１２０からガス導出経路１３０へのガスの漏洩をより一層確実に防ぐことができる。
【００４４】
ガス導入経路１１０は、収容体１００において変位方向一方側の端部に形成された第１開口部１１２から変位方向他方側に向けて変位方向に沿って延びる第１孔部１１４を備える。収納部１２０は、収容体１００において変位方向他方側の端部に形成された第２開口部１２２から変位方向一方側に向けて変位方向に沿って延びるとともに一部が第１孔部１１４と連通する第２孔部１２４を備える。ガス導出経路１３０は、収容体１００において第２孔部１２４における変位方向一方側の端部に形成された流出口１３２（第３開口部）から変位方向一方側に向けて変位方向に沿って延び且つ第２孔部１２４よりも孔の開口サイズが小さい第３孔部１３４と、収容体１００において変位方向と交差する所定方向に沿って延びるように形成されるとともに所定方向一方側が第３孔部１３４と連通し所定方向他方側に収容体１００の外面部に形成された第４開口部１４２が設けられてなる第４孔部１４４とを備える。
【００４５】
このガスコンロ１は、主要経路をより簡易に且つより低廉に構成することができる。例えば、第１孔部１１４、第２孔部１２４、第３孔部１３４、第４孔部１４４を三方からの型の引き抜きによって構成することも可能であり、この場合、型費の高騰を抑えて低廉に構成することができる。
【００４６】
ガスコンロ１は、少なくとも一部が筐体２内に配置されるとともに、筐体２の前端側且つ左右方向の一端側に配置されるガス量調整装置１０と、ガス量調整装置１０を通過したガスをバルブユニット５０に導くガス管９０とを含む。ガスバーナ５は、スロート部６Ｂが前後方向に沿って設けられている。バルブユニット５０は、スロート部６Ｂと筐体２の前壁部との間の位置であって且つ左右方向においてガス量調整装置１０よりも筐体２の中央寄りに配置されている。ガス管９０は、ガス量調整装置１０から後方側に延びるとともにガス量調整装置１０を通過したガスを後方側に誘導する第１誘導部９１と、第１誘導部９１で誘導されたガスの誘導方向を前方側に転換する第２誘導部９２と、第２誘導部９２で誘導されたガスを第２誘導部９２よりも更に前方側に誘導する第３誘導部９３と、第３誘導部９３で誘導されたガスの誘導方向を転換するとともに左右方向に沿って誘導する第４誘導部９４とを有する。弁体６０は、変位方向が左右方向となっており、第１孔部１１４、第２孔部１２４、及び第３孔部１３４は、いずれも左右方向に沿って延びている。
【００４７】
このガスコンロは、図１、図２で示す構成のように、筐体における左右方向一端側且つ前端側にガス量調整装置を配置し、且つガス量調整装置からガスを後方側に導出するように構成することが望まれる場合、且つ、ガスバーナのスロート部と筐体の前壁部との間の位置にバルブユニットを配置することが望まれる場合に、より簡易な構成でガス量調整装置からバルブユニットへとガスを導くことができる。更に、ガス管９０を介して左右方向に導かれたガスを受け入れ、このガスを後方側に案内するようにバルブユニット５０を構成することが望まれる場合に、このような要求を満たし得るバルブユニット５０を、安定的な切り替えが可能な構成で実現することができる。
【００４８】
＜他の実施例＞
本発明は上記記述及び図面によって説明した実施例に限定されるものではなく、例えば次のような例も本発明の技術的範囲に含まれる。
【００４９】
上述した実施例では、変位方向を左右方向としたが、左右方向に対して少し傾いた方向が変位方向であってもよい。
【００５０】
付勢部は、弁体を変位方向一方側に付勢し得る構成であれば、配置や形状は図４の例に限定されない。
【００５１】
駆動部は、駆動制御時に弁体を付勢部の付勢に抗して変位方向他方側に変位させ得る構成であれば、配置や構成は図４の例に限定されない。
【００５２】
上述した実施例では、弁体の変位方向（左右方向）と直交する方向（即ち、プランジャの軸線方向と直交する方向）において収納部とガス導入経路とが部分的に重なっていたが、部分的に重なっていなくてもよい。例えば、ガス導入経路から導入されるガスが全て収納部の外周部から流入するような構成であってもよい。
【符号の説明】
【００５３】
１…ガスコンロ
２…筐体
５…ガスバーナ
６Ｂ…スロート部
１０…ガス量調整装置
５０…バルブユニット
６０…弁体
６２…付勢部材
６４…駆動部
９０…ガス管
９１…第１誘導部
９２…第２誘導部
９３…第３誘導部
９４…第４誘導部
１００…収容体
１１０…ガス導入経路
１１２…第１開口部
１１４…第１孔部
１２０…収納部
１２２…第２開口部
１２４…第２孔部
１２８…弁座
１３０…ガス導出経路
１３２…流出口（第３開口部）
１３４…第３孔部
１４２…第４開口部
１４４…第４孔部
１５０…裏側空間
【図１】
2018128151.tif 000003
【図２】
2018128151.tif 000004
【図３】
2018128151.tif 000005
【図４】
2018128151.tif 000006
【図５】
2018128151.tif 000007
【図６】
2018128151.tif 000008
【図７】
2018128151.tif 000009
【図８】
2018128151.tif 000010
【図９】
2018128151.tif 000011